(57)【要約】【課題】長期間使用しても二次元コードの読み取り精度が低下するのを防ぐことができる床敷き用マットを提供すること。【解決手段】床敷き用マットは、床面上に置かれた際に人目に付く側である表面と、該表面に対向する裏面とを有するゴムシート１と、実質的に白色で、二次元コード２が付された表面と、該表面に対向する裏面とを有し、該裏面側が前記ゴムシート１の表面に熱圧着された第１白色ゴムシート３と、少なくとも二次元コード２を覆うように第１白色ゴムシート３の表面に熱圧着された透明シート４と、第１白色ゴムシート３の表面が露出するようにゴムシート１の表面に設けられたマット部材５と、を備えたことを特徴とする。【選択図】図１
0003153384.tif 000002
【実用新案登録請求の範囲】
【請求項１】
床面上に置かれた際に人目に付く側である表面と、該表面に対向する裏面とを有するゴムシートと、
実質的に白色で、二次元コードが付された表面と、該表面に対向する裏面とを有し、該裏面側が前記ゴムシートの表面に熱圧着された第１白色ゴムシートと、
少なくとも前記二次元コードを覆うように前記第１白色ゴムシートの表面に熱圧着された透明シートと、
前記第１白色ゴムシートの表面が露出するように前記ゴムシートの表面に設けられたマット部材と、
を備えたことを特徴とする床敷き用マット。
【請求項２】
前記透明シートは、ポリ塩化ビニルおよびニトリルブタジエンゴムの混合物からなることを特徴とする請求項１に記載の床敷き用マット。
【請求項３】
前記第１白色ゴムシートの表面および前記透明シートの表面は、熱圧着される際に使用される離型紙の織り目が転写されておらず、実質的に平坦な面であることを特徴とする請求項１または２に記載の床敷き用マット。
【請求項４】
実質的に白色で、表面と、該表面に対向する裏面とを有し、該裏面側が前記ゴムシートの裏面に熱圧着された第２白色ゴムシートをさらに備えたことを特徴とする請求項１ないし３のいずれかに記載の床敷き用マット。
【請求項５】
前記第２白色ゴムシートの表面に、該床敷き用マットを識別するための識別情報が付されていることを特徴とする請求項１ないし４のいずれかに記載の床敷き用マット。
【考案の詳細な説明】
【技術分野】
【０００１】
本考案は床敷き用マットに関し、特にＱＲコード（登録商標）等の二次元コードが付された床敷き用マットに関するものである。
【背景技術】
【０００２】
近年、靴底の汚れを取ることを目的として建物または部屋の出入り口付近に敷かれる床敷き用マットに、二次元コードを付したものが開発されている（例えば、特許文献１参照）。この特許文献１に記載された床敷き用マットは、基材となるゴムシートと、ゴムシートの表面に設けられたマット部材とを備えている。マット部材にはパイル糸が植設されており、パイル糸を染色することで二次元コードが付されている。
【先行技術文献】
【特許文献】
【０００３】
【特許文献１】実用新案登録第３１３６７４２号公報
【考案の概要】
【考案が解決しようとする課題】
【０００４】
しかしながら、上記のような床敷き用マットは、床に敷いて長期間使用すると、二次元コードの染色部分が紫外線によって退色したり、パイル糸が靴で踏まれ植設位置からずれることによって二次元コードの形が崩れたりしていた。また、パイル糸に付着した靴底の汚れを除去するために洗濯を繰り返すことによって、パイル糸が摩耗したり、変色したりすることもあった。このため、上記のような床敷き用マットは、長期間使用すると、二次元コードの読み取り精度が低下するという問題が生じていた。
【０００５】
本考案は上記の事情をもとに考え出されたものであって、長期間使用しても二次元コードの読み取り精度が低下するのを防ぐことができる床敷き用マットを提供することをその主たる課題とする。
【課題を解決するための手段】
【０００６】
上記課題を解決するために本考案では次の技術的手段を採用している。
【０００７】
すなわち、本考案に係る床敷き用マットは、床面上に置かれた際に人目に付く側である表面と、該表面に対向する裏面とを有するゴムシートと、実質的に白色で、二次元コードが付された表面と、該表面に対向する裏面とを有し、該裏面側が前記ゴムシートの表面に熱圧着された第１白色ゴムシートと、少なくとも前記二次元コードを覆うように前記第１白色ゴムシートの表面に熱圧着された透明シートと、前記第１白色ゴムシートの表面が露出するように前記ゴムシートの表面に設けられたマット部材と、を備えたことを特徴とする。
【０００８】
上記構成において、前記透明シートは、ポリ塩化ビニルおよびニトリルブタジエンゴムの混合物とすることができる。
【０００９】
また、上記構成において、前記第１白色ゴムシートの表面および前記透明シートの表面は、熱圧着される際に使用される離型紙の織り目が転写されておらず、実質的に平坦な面であることが好ましい。
【００１０】
また、本考案に係る床敷き用マットは、実質的に白色で、表面と、該表面に対向する裏面とを有し、該裏面側が前記ゴムシートの裏面に熱圧着された第２白色ゴムシートをさらに備えることもできる。
【００１１】
また、上記構成において、前記第２白色ゴムシートの表面に、該床敷き用マットを識別するための識別情報が付されていることが好ましい。
【考案の効果】
【００１２】
本考案によれば、実質的に白色の第１白色ゴムシートの表面に二次元コードが付されているため、パイル糸を染色する場合よりも、より鮮明に二次元コードを付すことができる。さらに、少なくとも二次元コードを覆うように第１白色ゴムシートの表面に透明シートが熱圧着されているため、紫外線による退色や、洗濯による摩耗、変色により、二次元コードの読み取り精度が低下するのを防ぐことができる。
【００１３】
また、本考案によれば、第１白色ゴムシートの表面および透明シートの表面は、熱圧着される際に使用される離型紙の織り目が転写されておらず、実質的に平坦な面であるため、第１白色ゴムシートの表面および透明シートの表面の凹凸に起因する二次元コードの読み取り精度の低下を防ぐことができる。
【００１４】
また、本考案によれば、実質的に白色の第２白色ゴムシートをさらに備えているため、この第２白色ゴムシートに、二次元コードやバーコードを付したり、必要な情報を自由に書き込んだりすることができる。
【００１５】
また、本考案によれば、第２白色ゴムシートの表面に、該床敷き用マットを識別するための識別情報が付されているため、該床敷き用マットの製造日等の情報を管理することができる。
【図面の簡単な説明】
【００１６】
【図１】本考案の第１の実施例に係る床敷き用マットの表面側から見た平面図である。
【図２】図１のＡ−Ａ線における部分断面図である。
【図３】本考案の第１の実施例に係る床敷き用マットの製造方法を説明するための図である。
【図４】本考案の第２の実施例に係る床敷き用マットであって、（ａ）は表面側から見た平面図、（ｂ）裏面側から見た平面図である。
【図５】図４（ａ）のＢ−Ｂ線における部分断面図である。
【考案を実施するための形態】
【００１７】
以下、本考案の好ましい実施例について、図面を参照して説明する。
【００１８】
［第１の実施例］
図１および図２に示すように、本実施例に係る床敷き用マットは、靴底の汚れを取るために建物または部屋の出入り口付近に敷かれるもので、ゴムシート１と、二次元コード２が付された第１白色ゴムシート３と、透明シート４と、マット部材５とを備えている。
【００１９】
ゴムシート１は、床面上に置かれた際に人目に付く側である表面と、表面に対向する裏面とを有する。ゴムシート１の材料としては、各種エラストマーが用途に応じて使用される。具体的には、ニトリルブタジエンゴム（ＮＢＲ）、スチレンブタジエンゴム（ＳＢＲ）、クロロプレンゴム（ＣＲ）、ブチルゴム（ＩＩＲ）、エチレンプロピレンゴム（ＥＰＤＭ）、アクリルゴム（ＡＣＭ）、フッ素ゴム（ＦＫＭ）、天然ゴム（ＮＲ）、ポリ塩化ビニル（ＰＶＣ）、ポリブタジエン（ＢＲ）、ポリイソプレン（ＩＲ）、ポリウレタン（ＰＵ）、塩素化ポリエチレン（ＣＰＥ）、塩素化ポリプロピレン（ＣＰＰ）、エチレン酢酸ビニル共重合体（ＥＶＡ）メチルメタクリレートブタジエンゴム（ＭＢＲ）、シリコンゴム（Ｑ）等が挙げられる。またゴムシート１には、上記材料に加え、加硫剤、加硫促進剤、酸化亜鉛、ステアリン酸、カーボンブラック、無機質充填剤、軟化剤、老化防止剤等のゴム用薬剤が適宜添加されている。
【００２０】
第１白色ゴムシート３は、ゴムシート１からカーボンブラック等を脱色したり、ゴムシート１の材料に白色顔料を添加したりすることで実質的に白色にしたものである。第１白色ゴムシート３の表面にはＱＲコード等の二次元コード２が黒色で印刷等によって付されており、第１白色ゴムシート３の裏面はゴムシート１の表面に熱圧着されている。
【００２１】
二次元コード２は、目的に応じた情報がコード化されたもので、例えば、該床敷き用マットが敷かれている店のクーポンやメールマガジンに関する情報がコード化されている。二次元コード２を携帯端末で読み取った者は、クーポンやメールマガジンに関する情報を得ることができる。
【００２２】
透明シート４は、少なくとも二次元コード２全体を覆うように第１白色ゴムシート３の表面に熱圧着されており、例えばポリ塩化ビニル（ＰＶＣ）とニトリルブタジエンゴム（ＮＢＲ）との混合物からなる。
【００２３】
マット部材５は、基布６とパイル糸７とを有し、第１白色ゴムシート３の表面が露出するようにゴムシート１の表面に設けられている。具体的には図１に示すように、本実施例に係るマット部材５は、ゴムシート１の周縁部およびゴムシート１の隅部に熱圧着された第１白色ゴムシート３の表面が露出するように設けられている。また、マット部材５はパイル糸７を染色したり、パイル糸の長さを調節したりして、宣伝、広告を目的とした文字やキャラクター等のデザインが施されている。
【００２４】
基布６の表面にはパイル糸７が植設されており、基布６の裏面はゴムシート１の表面に熱圧着されている。また、基布６は不織布、織布、編布、含浸布等から選択される。
【００２５】
パイル糸７の材料は、ポリアミド、ポリエステル、ポリプロピレン、ポリアクリル、ポリビニルアルコール等の熱可塑性合成繊維の単独素材から選択されるか、あるいは上記ポリアミド等から選ばれる少なくとも２種の熱可塑性合成繊維の複合素材から選択される。
【００２６】
次に、図３を参照して、本考案の第１の実施例に係る床敷き用マットの製造方法を説明する。
【００２７】
まず、上金型８および下金型１０の間に離型紙９、１１をそれぞれ配置し、離型紙１１上に、順次ゴムシート１、二次元コード２が印刷された第１白色ゴムシート３、および透明シート４を配置する。そして、上下金型８、１０に設けた加熱源により所定温度まで加熱しながら上金型８を下降させ、上下金型８、１０間を加圧する。次いで、同様の方法により、マット部材５をゴムシート１に熱圧着する。これにより、図２に示すようなゴムシート１、第１白色ゴムシート３、透明シート４およびマット部材５が一体化した床敷き用マットを得ることができる。
【００２８】
なお、離型紙９、１１はポリテトラフルオロエチレン（ＰＴＦＥ）等のフッ素樹脂からなる。また、離型紙９、１１は織り目のないものを使用するのが好ましい。織り目のない離型紙９、１１を使用すると、第１白色ゴムシート３の表面および透明シート４の表面は、熱圧着される際に織り目が転写されないために実質的に平坦な面となり、二次元コード２の読み取り精度が向上する。
【００２９】
また、本実施例では、第１白色ゴムシート３と透明シート４とを同時に熱圧着しているが、別々に熱圧着することもできる。また、マット部材５は、ゴムシート１に第１白色ゴムシート３および透明シート４を熱圧着する際に、同時に熱圧着することができる。
【００３０】
［第２の実施例］
次に、本考案の第２の実施例に係る床敷き用マットについて説明する。
【００３１】
図４および図５に示すように、本実施例に係る床敷き用マットは、ゴムシート１の裏面に設けられた第２白色ゴムシート１２を備えていること以外は、第１の実施例に係る床敷き用マットと同じである。
【００３２】
第２白色ゴムシート１２は第１白色ゴムシート３と同様、ゴムシート１からカーボンブラック等を脱色することで実質的に白色にしたものである。第２白色ゴムシート１２の裏面はゴムシート１の裏面に熱圧着されている。
【００３３】
第２白色ゴムシート１２の表面には、二次元コードやバーコードを付したり、必要な情報を自由に書き込んだりすることができる。例えば、レンタル目的で床敷き用マットを使用する場合、床敷き用マットの製造業者は製造日に関する情報をコード化した二次元コードやバーコードを付すことができる。また、レンタル業者は、第２白色ゴムシート１２の表面に、レンタル開始日やレンタル回数等の情報を書き込むことができる。これにより、レンタル業者は、該床敷き用マットの洗濯時期や交換時期を容易に知ることができる。
【００３４】
以上、本考案の好ましい実施例について説明してきたが、本考案はこれらの構成に限定されるものではない。
【００３５】
例えば、二次元コード２の読み取りを妨げない範囲で、透明シート４に紫外線カット剤をさらに含有させてもよいし、透明シート４上に紫外線カットシートをさらに設けてもよい。
【００３６】
また、二次元コード２の色は、黒色にするが好ましいが、白色に対してコントラストが高く、携帯端末で読み取ることができる色であれば任意に選択できる。
【００３７】
また、第２白色ゴムシート１２の表面に二次元コードやバーコードを付したり、必要な情報を自由に書き込んだりしている場合は、第２白色ゴムシート１２の表面に透明シートを設けてもよい。
【符号の説明】
【００３８】
１    ゴムシート
２    二次元コード
３    第１白色ゴムシート
４    透明シート
５    マット部材
６    基布
７    パイル糸
８    上金型
９    離型紙
１０  下金型
１１  離型紙
１２  第２白色ゴムシート
【図１】
0003153384.tif 000003
【図２】
0003153384.tif 000004
【図３】
0003153384.tif 000005
【図４】
0003153384.tif 000006
【図５】
0003153384.tif 000007